(57)【特許請求の範囲】
【請求項１】
床から天井までの高さを有する枠体の前面に取付けた前板の前面の一部をテレビ取付け部とすると共に該前板のテレビ取付け部の背面側に補強板を設けてテレビ固定用補助壁体を構成し、該テレビ固定用補助壁体を床と天井とにわたるように立設してテレビ固定用補助壁体を建物に対して床と天井とにのみ固定し、テレビ固定用補助壁体の補強板と建物の壁の前面との間に空間を形成し、背面側に補強板を設けたテレビ取付け部に薄型テレビを取付けて成ることを特徴とするテレビ固定用補助壁体の取付け構造。
【請求項２】
枠体のテレビ取付け部よりも下側に下補強板を取付けて成ることを特徴とする請求項１記載のテレビ固定用補助壁体の取付け構造。
【請求項３】
前板が複数に分割してあることを特徴とする請求項１又は請求項２記載のテレビ固定用補助壁体の取付け構造。
【請求項４】
枠体内に配線を通して成ることを特徴とする請求項１記載のテレビ固定用補助壁体の取付け構造。
【発明の詳細な説明】
【技術分野】
【０００１】
本発明は、薄型テレビを壁に取付けるに当たって設けるテレビ固定用補助壁体の取付け構造に関するものである。
【背景技術】
【０００２】
従来、ブラウン管テレビは、テレビ台や家具等の上に載置して視聴するのが通常であった。一方、近年液晶テレビやプラズマテレビ等の薄型テレビが提供されている。この薄型テレビもテレビ台に載置したり、あるいは収納家具に正面に開口する凹部を設け、該凹部の奥壁に壁掛け金具により取付けるようにしているが、これらの場合、テレビ台や収納家具の占有する設置面積が必要で、室内を広く使えるという薄型テレビの特徴を十分に生かせないという問題がある。そこで薄型テレビを壁に壁掛け金具により取付けることが提案されている。
【０００３】
しかし、質量の大きい大画面の薄型テレビを壁掛けするには、建物の壁の壁面を大画面の薄型テレビを取付けることができるようにしっかりした下地を設置して補強する必要があり、例えば特許文献１に示されるように建物の壁自体を大型の薄型テレビを固定支持できるような特別の構造とする必要がある。このため、建物の壁の大掛かりな補強工事が必要で、多額の費用がかかり、また、建物の壁自体の大掛かりな工事であるため、施工時間も長くかかるという問題があり、また、建物自体の壁に直接大画面の薄型テレビを壁掛け金具で取付けるので、大画面の薄型テレビを視聴する際に大画面の薄型テレビから出る固体振動が建物自体の壁に直接伝搬して隣室に伝わり、遮音性能が悪化するという問題があった。
【０００４】
また、既存の建物の壁の壁面にテレビ固定用補助壁体をボルトのような固定具で固着し、このテレビ固定用補助壁体の前面側に大画面の薄型テレビを取付けることも考えられる。しかしながらこの従来例にあっては、大画面の薄型テレビを取付けるテレビ固定用補助壁体を固定具で建物の壁に固定するので、大画面の薄型テレビから出る固体振動が固定具を介して建物の壁に伝搬して隣室に伝わることになり、このため、このものにおいても遮音性能が十分ではない。また、大画面の薄型テレビの荷重はテレビ固定用補助壁体を介して壁で支持されるため、壁の強度が弱い場合、特に、間仕切り壁などの場合には大質量の大画面の薄型テレビを取付けることができないという問題がある。
【特許文献１】特開２００５−１５０８７２号公報
【発明の開示】
【発明が解決しようとする課題】
【０００５】
本発明は上記の従来の問題点に鑑みて発明したものであって、簡単な施工でテレビ固定用補助壁体を建物に取付けることができ、また、テレビ固定用補助壁体に取付けた薄型テレビの荷重を安定して支持できると共に、薄型テレビを視聴する際に薄型テレビを振動源とする固体振動が壁に直接伝わらないようにできて隣室への遮音性に優れたテレビ固定用補助壁体の取付け構造を提供することを課題とするものである。
【課題を解決するための手段】
【０００６】
上記課題を解決するために本発明に係るテレビ固定用補助壁体の取付け構造は、床１から天井２までの高さを有する枠体３の前面に取付けた前板４の前面の一部をテレビ取付け部５とすると共に該前板４のテレビ取付け部５の背面側に補強板６を設けてテレビ固定用補助壁体７を構成し、該テレビ固定用補助壁体７を床１と天井２とにわたるように立設してテレビ固定用補助壁体７を建物に対して床１と天井２とにのみ固定し、テレビ固定用補助壁体７の補強板６と建物の壁８の前面との間に空間９を形成し、背面側に補強板６を設けたテレビ取付け部５に薄型テレビ１０を取付けて成ることを特徴とするものである。
【０００７】
このようにテレビ固定用補助壁体７を床１と天井２とにわたるように立設してテレビ固定用補助壁体７を建物に対して床１と天井２とにのみ固定するので、建物の壁８にテレビ固定用補助壁体７を固定することなく建物に取付けることができ、このようにテレビ固定用補助壁体７を建物に対して床１と天井２とにのみ固定することと、テレビ固定用補助壁体７の補強板６と建物の壁８の前面との間に空間９を形成することとにより、薄型テレビ１０を視聴する際に薄型テレビ１０を振動源とする固体振動が壁８に直接伝わらないようにできるものであり、しかも、薄型テレビ１０を取付けるテレビ固定用補助壁体７を床１と天井２とに固定するので、テレビ固定用補助壁体７の上下両端部を強固に建物に取付けることができ、薄型テレビの荷重はテレビ固定用補助壁体７を介して床１で確実に支持でき、これにより壁８の補強工事を必要としない。
【０００８】
また、枠体３のテレビ取付け部５よりも下側に下補強板１１を取付けることが好ましい。
【０００９】
テレビ固定用補助壁体７のテレビ取付け部５に取付ける薄型テレビ１０の荷重をテレビ固定用補強壁体７で支持し、テレビ固定用補強壁体７を介して床１に伝達して最終的に床１で支持するに当たり、テレビ取付け部５の背面側に設けた補強板６と、更にその下側に設けた下補強板１１とで薄型テレビ１０の荷重を強固に支持してスムーズに床１に伝達できる。
【００１０】
また、前板４が複数に分割してあることが好ましい。
【００１１】
このような構成とすることで、ＡＶラックを設ける場合と設けない場合、分割した前板４の一部を選択することで対応できる。
【００１２】
また、枠体３内に配線を通すことが好ましい。
【００１３】
このような構成とすることで、薄型テレビへの配線が外部に露出しないようにできて外観が良くなる。
【発明の効果】
【００１４】
本発明は、テレビ固定用補助壁体を建物に対して床と天井とにのみ固定すると共にテレビ固定用補助壁体の補強板と建物の壁の前面との間に空間を形成するので、薄型テレビを視聴する際に薄型テレビを振動源とする固体振動が壁に直接伝わらないようにできて隣室への遮音性に優れており、また、薄型テレビを取付けるテレビ固定用補助壁体を床と天井とに固定するので、テレビ固定用補助壁体の上下両端部を強固に建物に取付けることができ、これにより壁の補強工事を必要とせず、簡単な施工でテレビ固定用補助壁体を建物に取付けることができると共に、薄型テレビの荷重はテレビ固定用補助壁体を介して床で安定して確実に支持できる。
【発明を実施するための最良の形態】
【００１５】
以下、本発明を添付図面に示す実施形態に基いて説明する。
【００１６】
図１乃至図５には本発明の一実施形態が示してあり、テレビ固定用補助壁体７は以下のような構成となっている。
【００１７】
テレビ固定用補助壁体７の主体を構成する枠体３は、左右の縦枠１２、上下の横枠１３を枠組みして構成してあり、更にこの枠体３には上下複数箇所に中横枠１４を架設すると共に、下の横枠１３と下部の中横枠１４との間に中縦枠１５が架設してある。
【００１８】
枠体３の前面部には前板４となる表面が化粧仕上げされたパネルが取着される。この前板４の前面の一部がテレビ取付け部５となっている。添付図面に示す実施形態では前板４が複数に分割してあり、その複数に分割した前板４の一つがテレビ取付け部５となっている。テレビ取付け部５となる前板４を枠体３の前面に取付けた状態で、該前板４のテレビ取付け部５の背面側には補強板６が重複するように設けてある。この補強板６は外周端部を中横枠１４や縦枠１２の内側面の前端に固着した状態で前板４の背面に重複してある。添付図面に示す実施形態では、図１、図４のように補強板６の外端部に凸又は凹の嵌め込み部１６を設け、該嵌め込み部１６を中横枠１４や縦枠１２の内側面に設けた凹又は凸の被嵌め込み部１７に嵌合固着してある。前板４のテレビ取付け部５となる部分と補強板６とにわたってコード挿通孔１８が形成してある。このように前板４のテレビ取付け部５の背面側には補強板６を重複して設けた状態で補強板６背方には周囲を中横枠１４、縦枠１２で囲まれ且つ背方に開口する凹部１９が形成される。
【００１９】
枠体３の前面に複数に分割した前板４を取付けるに当たっては、任意の取付け手段が採用できるが、図５に示す実施形態においては、下端部に位置する前板４は枠体３に対して後述の係止部材２４、被係止部材２５により着脱自在に取付けてあり、他の前板４は後述の取付け具２６を介して取付けるようになっている。
【００２０】
また、枠体３のテレビ取付け部５を取付けた部分よりも下側には下補強板１１が取付けてある。下補強板１１は枠体３の背面側に固着してあり、この下補強板１１にはコード通し孔２０が設けてある。更に、枠体３内には電源線用のコンセントや情報線の接続器具等のコード接続器具２１が設けてある。図３の実施形態ではコード接続器具２１を取付けた部分が中縦枠１５と下の横枠１３と中横枠１４とで囲んであり、コード接続器具２１を取付けた部分を囲んだ部分の枠体３の前部には蓋２２が着脱自在に取付けられる。蓋２２を枠体３に取付けるには特に限定はなく、ねじ止めなどの任意の手段により取付けることができる。
【００２１】
下端部に位置する前板４は枠体３に対して着脱自在に取付けてあり、この下端部に位置する前板４を枠体３に取付ける前の状態では蓋２２が露出し、蓋２２を外しことでコード接続器具２１が露出すると共にコード通し孔２０が露出するように構成してある。分割した前板４を枠体３に着脱自在に取付けるには、例えば、図５のように、前板４の背面部に係止部材２４を設けると共に枠体３に被係止部材２５を設けて係止部材２４を被係止部材２５に着脱自在に係止するようにする。
【００２２】
凹部１９とコード接続器具２１を取付けた部分との間に存在する中横枠１４にはコード孔２３が設けてある。
【００２３】
上記の構成のテレビ固定用補助壁体７は、まず、枠体３に複数に分割した前板４を取付けない状態で建物の床１と天井２とにわたるように床１上に立設して枠体３の上下の横枠１３をそれぞれ床１と天井２とに固着具５１により図１のように固着する。
【００２４】
その後、枠体３の下端部内に建物側から電源線、情報線等のコード３５を導入して枠体３の下端部内に設けたコード接続器具２１に上記建物側から導入した電源線、情報線等のコード３５の端部の接続具を接続する。建物側から電源線、情報線等のコード３５を枠体３の下端部内に導入するに当たっては、図３のように下補強板１１に設けたコード通し孔２０から導入したり、あるいは、枠体３の下端部の後端部を切欠いてこの部分からコード３５を枠体３の下端部内に導入するようにしてもよい。
【００２５】
また、最下端の前板４を除いて、枠体３の前面に複数の前板４を取付け具２６を介して取付ける。取付け具２６は図４に示すように、固定縦片２７の下部から前方に前突片２８を突設し、前突片２８の前端部から上下方向に上係合片２９、下係合片３０を突設して構成してある（なお、最も下で使用する取付け具２６においては下係合片３０が無い）。
【００２６】
そして、枠体３（例えば中横枠１４）の前面に上記取付け具２６の固定縦片２７を当接した状態で固着具により固着し、下の取付け具２６の上係合片２９に下段の前板４の下端面に設けた係合溝３１を係合して該下段の前板４を枠体３の前面に沿わせ、次に、前板４の上端面の係合溝３１に上の取付け具２６の下係合片３０を係合すると共に、この上の取付け具２６の固定縦片２７を固着具により枠体３の前面に固着することで、上記前板４を枠体３に固着する。次に、上記上の取付け具２６の上係合片２９に上段の前板４の下端面の係合溝３１を係合し、同様にして次々と、下から上に向けて取付け具２６を用いて前板４を枠体３の前面に取付けるものである。ここで、テレビ取付け部５となる前板４は枠体３の補強板６を取付けた部分の前面側に取付けるものであり、テレビ取付け部５となる前板４を取付けることで、テレビ取付け部５となっている前板４が枠体３に固着した補強板６に重複することになる。
【００２７】
次に、テレビ取付け部５となっている背面側に補強板６が重複した前板４の前面側に薄型テレビ１０を取付ける。
【００２８】
この場合、薄型テレビ１０の取付け作業に当たって、薄型テレビ１０に設けた電源線、情報線等のコード３５ａを、前板４のテレビ取付け部５となる部分と補強板６とにわたって形成したコード挿通孔１８から枠体３内に挿入し、更に、中横枠１４に設けたコード孔２３を通して枠体３の下部に挿通し、上記電源線、情報線等のコード３５ａの先端に設けた接続具を枠体３の下端部内に設けたコード接続器具２１に接続する。
【００２９】
その後、コード接続器具２１を取付けた部分を囲んだ部分の枠体３の前部には蓋２２を着脱自在に取付ける。この蓋２２を着脱自在に取付けるのは、後述の着脱自在な最下端の前板４を取り外してもすぐにコード接続器具２１が露出せず、コード接続部分を悪戯されないようになっている。
【００３０】
その後、最下端の前板４を枠体３の前面下端部に着脱自在に取付ける。この場合、係止部材２４を被係止部材２５に着脱自在に係止することで着脱自在に取付ける。
【００３１】
このようにすることで、コード３５ａは前面側に前板４が取付けられる枠体３内に配線されるため外部に露出せず、外観がよくなる。
【００３２】
上記のようにして前面に薄型テレビ１０を取付けたテレビ固定用補助壁体７を建物に対して床１と天井２とにのみ固定して取付ける（図１参照）ことで、壁８に対しては非固着とするものであり、このようにして床１と天井２とにテレビ固定用補助壁体７を固定することで、テレビ固定用補助壁体７に設けた凹部１９により補強板６と建物の壁８の前面との間に空間９が形成される。なお、テレビ固定用補助壁体７の床１、天井２への取付け状態でテレビ固定用補助壁体７の背面は壁８に対して当接させてもよいが、非接触としてもよい。
【００３３】
図６乃至図８には本発明に用いるテレビ固定用補助壁体７の他の実施形態が示してある。この実施形態においては、テレビ固定用補助壁体７の一部、添付図面に示す実施形態ではテレビ取付け部５となっている前板４を取付けた部分よりも下方に、前板４を取付けない前方が開口したＡＶ機器収納用凹部３６を形成してある。このＡＶ機器収納用凹部３６の下面部には載置台３８が設けてあり、テレビ固定用補助壁体７がＤＶＤ、ビデオのようなＡＶ機器の前後長さに比べて薄いため載置台３８の前部はテレビ固定用補助壁体７の前板４よりも前方に突出しており、ＡＶ機器収納用凹部３６に収納されるＡＶ機器３７は載置台３８上に載置される。この実施形態においては、ＡＶ機器３７に設けた電源線、情報線等のコード３５ｂをＡＶ機器収納用凹部３６から中横枠１４に設けたコード孔２３を通して枠体３内の最下端部に挿通し、上記電源線、情報線等のコード３５ｂの先端に設けた接続具を枠体３の下端部内に設けたコード接続器具２１に接続する。この場合も最下端の前板４を枠体３の前面下端部から取り外した状態で配線作業を行って、配線作業が終わると最下端の前板４を枠体３の前面下端部着脱自在に取付ける。
【００３４】
図９、図１０には本発明の更に他の実施形態が示してある。本実施形態においてはテレビ固定用補助壁体７の側部に棚付補助壁体４０を隣接して立設する。棚付補助壁体４０はＡＶ機器取付けテレビ固定用補助壁体７と同様に、枠体４１の前面部に複数に分割した前板４２を取付けて構成してあり、棚付補助壁体４０の一部に前板４を取付けない前方が開口したＡＶ機器収納用凹部４３を形成し、このＡＶ機器収納用凹部４３には載置台４４が設けてあって棚となっている。なお、図示を省略しているが、複数に分割した前板４２のうち、最下端の前板４２は前述のテレビ固定用補助壁体７の最下端の前板４と同様に係止部材２４と被係止部材２５とを用いて着脱自在に着脱自在に取付けてあり、他の前板４は前述のテレビ固定用補助壁体７の最下端以外の前板４の取付けと同様に取付け具２６を用いて枠体４１に取付ける。また、枠体４１内の下端部にはコード接続器具４６が設けてあり、建物側から枠体４１内に導入した電源線、情報線等のコード４７の端部の接続具をコード接続器具４６に接続する。
【００３５】
ＡＶ機器収納用凹部４３に収納し且つ載置台４４に載置したＡＶ機器３７の電源線や情報線等のコード４８の端部の接続具をコード接続器具４６に接続する。
【００３６】
また、テレビ固定用補助壁体７の枠体３と棚付補助壁体４０の枠体４１とには互いに連通するようにコード挿入孔４９が設けてあり、テレビ固定用補助壁体７に取付ける薄型テレビ１０と上記ＡＶ機器３７とをコード挿通孔１８、コード挿入孔４９を挿通するコード５０を介して接続するようになっている。
【図面の簡単な説明】
【００３７】
【図１】本発明のテレビ固定用補助壁体の取付け構造の一実施形態を示す断面図である。
【図２】同上のテレビ固定用補助壁体の斜視図である。
【図３】同上の前板を取付ける前の前面側から見た斜視図である。
【図４】同上の前板の固定する例を示す拡大断面図である。
【図５】同上の前板を着脱自在に取付ける例を示す分解斜視図である。
【図６】本発明のテレビ固定用補助壁体の取付け構造の他の実施形態を示す断面図である。
【図７】同上のテレビ固定用補助壁体の斜視図である。
【図８】同上の前板を取付ける前の前面側から見た斜視図である。
【図９】本発明のテレビ固定用補助壁体の隣に棚付補助壁体を隣接して並設した例を示す斜視図である。
【図１０】同上の前板を取付ける前の前面側から見た斜視図である。
【符号の説明】
【００３８】
１  床
２  天井
３  枠体
４  前板
５  テレビ取付け部
６  補強板
７  テレビ固定用補助壁体
８  壁
９  空間
１０  薄型テレビ
１１  下補強板
【図１】
0004535001.tif 000002
【図２】
0004535001.tif 000003
【図３】
0004535001.tif 000004
【図４】
0004535001.tif 000005
【図５】
0004535001.tif 000006
【図６】
0004535001.tif 000007
【図７】
0004535001.tif 000008
【図８】
0004535001.tif 000009
【図９】
0004535001.tif 000010
【図１０】
0004535001.tif 000011